(57)【要約】  【課題】赤外線をマイク周囲に放射することができ、構造が簡単で部品点数が少なく、生産性を向上できるワイヤレスマイクロフォンを提供する。  【解決手段】ワイヤレスマイクロフォン１は、音声信号を赤外線により送信する。ワイヤレスマイクロフォン１内の基板１５に複数の赤外発光素子１７が取り付けられており、複数の赤外発光素子１７が、基板１５の両面に少なくとも一つずつ配置されている。基板１５の両面の各々に複数の赤外発光素子１７が設けられて、それら赤外発光素子１７が放射状に配置されてよい。基板１５と別の専用基板を外発光素子１７のために設けなくても、赤外線をマイク１の周囲に放射できる。【選択図】  図１
2010245963.tif 000002
【特許請求の範囲】
【請求項１】
音声信号を赤外線により送信するワイヤレスマイクロフォンであって、
該ワイヤレスマイクロフォン内の基板に複数の赤外発光素子が取り付けられており、前記複数の赤外発光素子が、前記基板の両面に少なくとも一つずつ配置されていることを特徴とするワイヤレスマイクロフォン。
【請求項２】
前記基板の両面の各々に複数の赤外発光素子が設けられており、基板両面の赤外発光素子が放射状に配置されていることを特徴とする請求項１に記載のワイヤレスマイクロフォン。
【請求項３】
前記赤外発光素子の指向性に応じて放射範囲が全方位を網羅するように前記赤外発光素子の数が定められており、前記複数の赤外発光素子が周方向に間隔をあけて配置されていることを特徴とする請求項１又は２に記載のワイヤレスマイクロフォン。
【請求項４】
隣接する前記赤外発光素子の間に延び、両側の前記赤外発光素子からの赤外線を反射する反射壁を有することを特徴とする請求項１乃至３のいずれかに記載のワイヤレスマイクロフォン。
【請求項５】
前記基板の一方の面に配置された前記赤外発光素子と、他方の面に配置された前記赤外発光素子とが、基板面に沿った方向にオフセットされていることを特徴とする請求項１乃至４のいずれかに記載のワイヤレスマイクロフォン。
【請求項６】
使用時のマイク姿勢にて前記赤外発光素子が仰角方向を向くように、前記赤外発光素子が前記基板に対して傾斜して取り付けられていることを特徴とする請求項１乃至５のいずれかに記載のワイヤレスマイクロフォン。
【請求項７】
前記基板の両面の各々に、前記赤外発光素子の位置と方向を規制するガイド部材が取り付けられており、前記赤外発光素子が、前記ガイド部材に配置された状態で前記基板に取り付けられていることを特徴とする請求項１乃至６のいずれかに記載のワイヤレスマイクロフォン。
【請求項８】
前記ガイド部材に可視発光素子が配置されており、前記可視発光素子が、前記赤外発光素子の周囲の赤外線透過部材を通して可視光を出射することを特徴とする請求項７に記載のワイヤレスマイクロフォン。
【請求項９】
前記ガイド部材は、前記基板に取り付けられるガイドベース部と、前記ガイドベース部に弾性ヒンジを介してつながった発光素子保持部とを有し、前記発光素子保持部が、前記弾性ヒンジによって回動して前記赤外発光素子を保持する構造を有することを特徴とする請求項７又は８に記載のワイヤレスマイクロフォン。
【発明の詳細な説明】
【技術分野】
【０００１】
本発明は、音声信号を赤外線により送信するワイヤレスマイクロフォンに関する。
【背景技術】
【０００２】
従来、赤外線タイプのワイヤレスマイクロフォン（以下、マイクという）は、使用者に携帯される筒型のケースを有し、ケースに赤外発光素子が内蔵される。赤外発光素子は一般に発光ダイオード（ＬＥＤ）である。
【０００３】
使用者やマイクの向きに拘わらずマイクからの信号を受信するためには、赤外線を全方位すなわち３６０度の方向に向けて放射する必要がある。そこで、従来は、円形基板に複数の発光ダイオードが実装され、さらに、それら発光ダイオードの脚部が折り曲げられる。これにより、複数の発光ダイオードは各々が外を向くように円形に配置される。そして、この円形基板が、筒型のケース内に収容されている。
【０００４】
また、発光ダイオードを単純に外向きに折り曲げることによって発光ダイオードが円形基板から外にはみ出るのを避けるため、発光ダイオードを周方向に折り曲げ加工することも提案されている（例えば特許文献１）。
【先行技術文献】
【特許文献】
【０００５】
【特許文献１】特開平９−５１２７９号公報
【発明の概要】
【発明が解決しようとする課題】
【０００６】
しかしながら、従来の赤外線タイプのマイクにおいては、上述のように円形基板を設ける必要があり、構造が複雑で部品点数が多く、そのために生産性も低いという問題があった。
【０００７】
この点に関し、マイクには、マイクロコンピュータや音声信号回路等を搭載した基板を収容する必要がある。マイクロコンピュータ等の基板は、マイク筐体内の細長い空間を有効に利用して必要な面積を確保するために、基板面がマイクの軸方向に沿うように配置される。これに対して、発光ダイオードの円形基板は、全方位の照射のために、マイクの軸方向に対して垂直に配置される。したがって、発光ダイオードの円形基板は、マイコン等の基板と別に設ける必要があり、更に基板間を接続するケーブルやコネクターも必要になる。そのため、構造が複雑で部品点数が多いという問題があり、さらには、基板実装工程が増え、組立工数も増加し、生産性が低下するという問題がある。
【０００８】
本発明は、従来の問題を解決するためになされたもので、その目的は、赤外線をマイク周囲に放射することができ、構造が簡単で部品点数が少なく、生産性を向上できるワイヤレスマイクロフォンを提供することにある。
【課題を解決するための手段】
【０００９】
本発明は、音声信号を赤外線により送信するワイヤレスマイクロフォンであって、該ワイヤレスマイクロフォン内の基板に複数の赤外発光素子が取り付けられており、前記複数の赤外発光素子が、前記基板の両面に少なくとも一つずつ配置されている。
【００１０】
この構成により、ワイヤレスマイクロフォン内の基板の両面に赤外発光素子を備えることによりマイク周囲へ赤外線を放射できるので、赤外発光素子を設けた基板を特別に設ける必要がなくなり、基板間のケーブルやコネクターも不要になる。したがって、ワイヤレスマイクロフォンの構造を簡単にできると共に部品点数を削減でき、生産性も向上できる。
【００１１】
また、本発明のワイヤレスマイクロフォンでは、前記基板の両面の各々に複数の赤外発光素子が設けられており、基板両面の赤外発光素子が放射状に配置されている。
【００１２】
この構成により、ワイヤレスマイクロフォンの周囲の全方向に適切に赤外線を放射でき、良好な指向特性が得られる。
【００１３】
また、本発明のワイヤレスマイクロフォンでは、前記赤外発光素子の指向性に応じて放射範囲が全方位を網羅するように前記赤外発光素子の数が定められており、前記複数の赤外発光素子が周方向に間隔をあけて配置されている。
【００１４】
この構成により、ワイヤレスマイクロフォンの周囲の全方向に適切に赤外線を放射でき、良好な指向特性が得られる。
【００１５】
また、本発明のワイヤレスマイクロフォンは、隣接する前記赤外発光素子の間に延び、両側の前記赤外発光素子からの赤外線を反射する反射壁を有する。
【００１６】
この構成により、反射壁による赤外線の反射を利用して、ワイヤレスマイクロフォンの周囲方向に赤外線を放射させ、放射効率を高めることができ、良好な指向特性が得られる。
【００１７】
また、本発明のワイヤレスマイクロフォンでは、前記基板の一方の面に配置された前記赤外発光素子と、他方の面に配置された前記赤外発光素子とが、基板面に沿った方向にオフセットされている。
【００１８】
この構成により、ワイヤレスマイクロフォンの周囲に赤外線を放射できるように基板の両面に赤外発光素子を好適に取り付けることができる。
【００１９】
また、本発明のワイヤレスマイクロフォンでは、使用時のマイク姿勢にて前記赤外発光素子が仰角方向を向くように、前記赤外発光素子が前記基板に対して傾斜して取り付けられている。
【００２０】
この構成により、ワイヤレスマイクロフォンからの赤外線の放射方向を、天井部や壁面上部に取り付けられた赤外受光部に向けることができ、赤外受光部の受光特性を向上できる。
【００２１】
また、本発明のワイヤレスマイクロフォンでは、前記基板の両面の各々に、前記赤外発光素子の位置と方向を規制するガイド部材が取り付けられており、前記赤外発光素子が、前記ガイド部材に配置された状態で前記基板に取り付けられている。
【００２２】
この構成により、赤外発光素子を適切に位置決めでき、赤外線の放射方向のばらつきを小さく抑えることができ、赤外受光特性をより安定させることができる。
【００２３】
また、本発明のワイヤレスマイクロフォンでは、前記ガイド部材に可視発光素子が配置されており、前記可視発光素子が、前記赤外発光素子の周囲の赤外線透過部材を通して可視光を出射する。
【００２４】
この構成により、可視発光素子を発光させて、ワイヤレスマイクロフォンの動作状態を使用者に視覚的に把握させることができる。このような可視発光素子を、赤外発光素子を設けるための構造を活用して好適に取り付けられる。
【００２５】
また、本発明のワイヤレスマイクロフォンにおいて、前記ガイド部材は、前記基板に取り付けられるガイドベース部と、前記ガイドベース部に弾性ヒンジを介してつながった発光素子保持部とを有し、前記発光素子保持部が、前記弾性ヒンジによって回動して前記赤外発光素子を保持する構造を有する。
【００２６】
この構成により、発光素子保持部材を使って赤外発光素子を保持するので、赤外発光素子を基板に取り付ける作業が容易になる。例えば、赤外発光素子を基板の両面に半田づけするために基板を反転したときの素子落下を防止でき、取付作業が容易になる。
【発明の効果】
【００２７】
本発明は、ワイヤレスマイクロフォン内の基板の両面に赤外発光素子を設けることにより、赤外線をマイク周囲に放射することができ、構造が簡単で部品点数を削減でき、生産性を向上できるという効果を有するワイヤレスマイクロフォンを提供できる。
【図面の簡単な説明】
【００２８】
【図１】本発明の実施の形態に係るマイクの分解斜視図
【図２】本発明の実施の形態に係るマイクの外観の斜視図
【図３】基板の赤外発光素子周辺の分解斜視図
【図４】基板に取り付けられた赤外発光素子を本体ケースの軸方向から見た図
【図５】基板に取り付けられた赤外発光素子を横方向から見た図
【図６】マイクの上半部の正面図であって、赤外発光素子が備えられている部分の周辺を示す図
【図７】基板両側の赤外発光素子を通るラインでマイクを切断した断面図
【図８】赤外発光素子の数及び角度についての第１の変形例であって、素子数が８の場合を示す図
【図９】赤外発光素子の数及び角度についての第２の変形例であって、素子数が４の場合を示す図
【図１０】赤外発光素子の数及び角度についての第３の変形例であって、素子数が２の場合を示す図
【図１１】赤外発光素子の取付角度の変形例であって、赤外発光素子が仰角方向を向くように配置された構成を示す図
【図１２】ガイド部材に可視発光素子が配置する変形例を示す図
【図１３】ガイド部材に可視発光素子が配置する変形例を示す図
【図１４】ガイド部材に発光素子保持部を設けた変形例を示す図
【図１５】ガイド部材に発光素子保持部を設けた変形例を示す図
【発明を実施するための形態】
【００２９】
以下、本発明の実施の形態のワイヤレスマイクロフォン（以下、マイクという）について、図面を用いて説明する。
【００３０】
本発明の実施の形態に係るマイクを図１及び図２に示す。図１はマイク１の分解斜視図であり、図２がマイク１の外観の斜視図である。
【００３１】
まず、図２を参照すると、マイク１は、マイクケース（筐体）としての筒型の本体ケース３と、本体ケース３の上部に配置された赤外線透過部品５と、赤外線透過部品５の上部に配置されたマイクネット部品７とを有する。本体ケース３は、使用者が握りやすい外面形状を有している。更に、本体ケース３には、使用者にマイク１を握ったまま操作されるスイッチが設けられ、また、電池ボックスが設けられている。
【００３２】
次に図１を参照すると、本体ケース３は分割構造を有し、右ケース１１と左ケース１３とで構成される。赤外線透過部品５は、赤外線を透過するカラー型の部品であり、本体ケース３の外側に嵌められている。マイクネット部品７は、図示のように複数の音孔を有するキャップ型の部品であり、赤外線透過部品５の上側に配置されており、本体ケース３に被せられる。マイクネット部品７の内側には、息吹きや操作時の風切り音、水滴防止のための発泡材が取り付けられている。
【００３３】
本体ケース３の内部には基板１５が収納されている。基板１５は、本体ケース３内を軸方向（筒方向）に延びるように配置されており、基板面が軸方向に沿っている。基板１５は、本体ケース３の下端付近から上端付近まで、ケース内部空間の全長に近いサイズを有している。また、図示されないが、本体ケース３の先端部にはマイク部品が取り付けられる。マイク部品は例えばＥＣＭ（electret condenser microphone）である。マイク部品はマイクネット部品７の内側に配置され、基板１５とケーブルで接続される。
【００３４】
基板１５は、プリント基板であり、マイク１を機能させるための各種の部品が実装されている。例えば、基板１５にはマイクロコンピュータが実装され、また、音声信号処理回路が実装されている。
【００３５】
本実施の形態では、図示のように、赤外発光素子１７が基板１５に取り付けられている。赤外発光素子１７は、赤外線透過部品５の内側に位置するように配置されており、赤外線透過部品５を通して赤外線を放射する。
【００３６】
図３〜図５を参照し、赤外発光素子１７関連の構成について説明する。図３は、基板１５の赤外発光素子１７周辺の分解斜視図である。図４は基板１５を本体ケース３の軸方向から見た図であり、図５は横方向から見た図である。概略的構成としては、基板１５の両面の各々に、ガイド部材１９が取り付けられている。そして、各ガイド部材１９に３つの赤外発光素子１７が支持されており、これにより基板１５の各面に３個の赤外発光素子１７が配置され、合計で６つの赤外発光素子１７が配置されている。それら６個の赤外発光素子１７は、隣り合う赤外発光素子１７同士が互いに６０度の角度を成すように配置されており、したがって、それら６個の赤外発光素子１７が、周方向に３６０度にわたって等間隔に配置されている。以下、赤外発光素子１７に関する構成を詳細に説明する。
【００３７】
基板１５は、部品が実装された部品面と、その裏側の半田面を有している。２つのガイド部材１９は、基板１５の部品面と半田面にそれぞれ取り付けられている。ガイド部材１９は、基板１５に向かって延びる一対の脚部２１を有し、脚部２１の先端に係合爪２３が設けられている。また、ガイド部材１９は、脚部２１と離れた位置にピン２５を有する。係合爪２３が基板１５の角孔２７に係合することでガイド部材１９の抜けが防止され、かつ、ピン２５が基板１５の丸孔２９に挿入されることでガイド部材１９の回転が防止され、これによってガイド部材１９が基板１５に固定されている。
【００３８】
ガイド部材１９は、赤外発光素子１７を支持し、赤外発光素子１７の位置と角度を規制する構成である。図４に示すように、ガイド部材１９は、３個の赤外発光素子１７をそれぞれ支持するように３つの支持部３１、３３、３５を有する。中央の支持部３３は、基板１５と平行であって、基板１５から所定の距離だけ離れている。両側の支持部３１、３５は、中央の支持部３３に対して６０度傾いている。
【００３９】
各々の支持部３１、３３、３５は、凹部を有しており、凹部の底が素子設置面（支持面）である。また、凹部の壁面は、赤外発光素子１７（より詳細には素子本体下部のフランジ部）と対応する円筒形状を有している。赤外発光素子１７は、赤外発光ダイオード（赤外ＬＥＤ）であり、樹脂製で円柱形状の素子本体３７を有し、素子本体３７の下面から２本の端子３９が突き出している。素子本体３７が支持部３１、３３、３５の凹部に挿入され、本体下面が凹部の底面の素子設置面にに支持され、これにより赤外発光素子１７が位置決めされている。
【００４０】
赤外発光素子１７の端子３９は、支持部３１、３３、３５に設けられた穴から突き出しており、基板１５を突き抜けて、反対側の面にて基板１５に半田付けされている。左右の赤外発光素子１７については、端子３９が事前に折り曲げ加工されており、これにより、端子３９が基板１５に向かって延び、基板１５を突き抜け、半田づけされている。
【００４１】
上記のように、基板１５の各々の面では、ガイド部材１９の中央の支持部３３が基板１５に平行なので、中央の赤外発光素子１７が基板１５に対して垂直方向を向いている。両側の支持部３１、３５が６０度傾いているので、両側の赤外発光素子１７も中央の赤外発光素子１７と６０度の角度を成す。
【００４２】
したがって、基板１５の両面全体では、６個の赤外発光素子１７が、マイク１の軸回りの方向に６０度置きに等間隔に配置されることになり、全方位、すなわち３６０度方向に赤外線を照射することができる。このような全方位の赤外線放射が、マイクロコンピュータ及び信号処理回路等を搭載する基板１５への赤外発光素子１７の実装により実現されている。すなわち、全方位の赤外線放射が、従来のような別体の円形基板を利用することなく実現されている。
【００４３】
また、本実施の形態では、ガイド部材１９が上記のように素子設置面としての支持部３１、３３、３５を有し、赤外発光素子１７の位置と方向を物理的に規制している。これにより、手作業での端子３９の折曲げ等によって赤外発光素子１７を方向付けする構成と比べて、赤外発光素子１７の光軸方向のばらつきが小さくなり、赤外受光特性の安定度を増すことができる。
【００４４】
また、図５に示されるように、基板１５の両面では、２つのガイド部材１９が上下にオフセットされており、赤外発光素子１７も上下にオフセットされている。この構成は、基板１５の両面で２つのガイド部材１９が背中合わせになることを回避でき、赤外発光素子１７が軸方向に同位置になることを回避できる。これにより、２つのガイド部材１９が互いに干渉することなく好適に基板１５に取り付けられる。また、基板両面の赤外発光素子１７の干渉も避けることができ、赤外発光素子１７の半田付けも適切に行える。
【００４５】
次に、図６及び図７を参照し、赤外発光素子１７に関連した本体ケース３の構造について説明する。図６はマイク１の正面図である。図７は、図６のラインＡ−Ａを通る断面図であり、基板両側の赤外発光素子１７を通るラインでマイク１が切断されている。
【００４６】
図示のように、マイク１は、隣接する赤外発光素子１７の間に延びる反射壁４１を有する。反射壁４１は、基板１５の各々側において、中央の赤外発光素子１７の両側に配置されている。反射壁４１は、銀色又は白色等の赤外線反射率が大きい色に着色されている。
【００４７】
反射壁４１の構成を更に説明すると、図１に示すように、反射壁４１は本体ケース３の一部である。本体ケース３は、赤外発光素子１７の位置に開口４３を有している。開口４３は、赤外発光素子１７のための窓であり、開口４３内に赤外発光素子１７が配置される。そして、反射壁４１は、該反射壁４１より上の部分と下の部分を連結する柱の役目を果たしている。
【００４８】
上記のように反射壁４１を設けたので、以下の利点が得られる。反射壁４１は、赤外発光素子１７が発する赤外線を反射する。赤外発光素子１７は、直進するだけでなく、反射壁４１に反射してから赤外線透過部品５を透過する。したがって、ワイヤレスマイクロフォン周囲への放射効率が高まり、赤外線の強度分布をより均一にでき、指向特性を更に改善できる。
【００４９】
また、反射壁４１は、本体ケース３の変形を防止する梁として機能する。これにより、例えばマイク１が踏みつけられた場合などに過荷重が作用したときに、また例えば、誤ってマイク１を落とした場合などに衝撃がマイク１に作用したときに、本体ケース３や赤外線透過部品５が破損するのを防止することができる。
【００５０】
次に、マイク１の製造方法について説明する。以下では、主として本発明に関連する部分の製造方法を説明する。図３に示すように、２つのガイド部材１９が、基板１５の両面にそれぞれ取り付けられる。ガイド部材１９を取り付けるときは、ガイド部材１９の係合爪２３を基板１５の角穴２７に位置合わせし、ピン２５を丸穴２９に位置合わせし、ガイド部材１９を基板１５に押しつける。これにより、係合爪２３が角穴２７に係合し、ピン２５が丸穴２９に挿入される。
【００５１】
次に、各々のガイド部材１９の支持部３１、３３、３５に３つの赤外発光素子１７を配置する。ここでは、赤外発光素子１７を各支持部３１、３３、３５の凹部に挿入し、素子本体３７の下面を支持部３１、３３、３５に当接させる。これにより、端子３９が基板１５を突き抜けて、反対の面から突き出す。両側の赤外発光素子１７の端子３９は、図３に示されているように予め折り曲げられている。３つの赤外発光素子１７の端子３９は、基板１５に半田付けされる。半田付けの後、端子３９の余分な部分が切断される。上記の作業は、基板１５の両面の各々に対して行われる。これにより、６つの赤外発光素子１７が基板１５に実装される。
【００５２】
次に、基板１５を挟み込むように、右ケース１１と左ケース１３が組み合わされて、本体ケース３が形成される。これにより、６つの赤外発光素子１７は、本体ケース３の６つの開口４３に配置される。さらに、図示されないが、ＥＣＭ等のマイク部品が本体ケース３に取り付けられ、マイク部品のケーブルが基板１５のコネクタに連結される。
【００５３】
さらに、本体ケース３の上部に赤外線透過部品５が嵌め込まれ、その上にマイクネット部品７が取り付けられる。こうしてマイク１の組立が完了する。
【００５４】
以上に、本実施の形態に係るマイク１の製造方法について説明した。次に、本実施の形態の各種の変形例について説明する。
【００５５】
「赤外発光素子の数及び配置」
上記の実施の形態では、６つの赤外発光素子１７が６０度置きに配置され、これにより全方向すなわち３６０度の指向特性が確保された。赤外発光素子の仕様によっては指向性が異なる。しかし、指向性が異なる赤外発光素子を適用する場合でも、素子数と素子配置（取付角度）を適切に設定することにより、マイク全体として指向特性を良好に設定でき、赤外線をマイク周囲に適切に放射できる。以下に、素子数及び素子配置が異なる幾つかの例を説明する。
【００５６】
図８は第１の例を示している。この例では、素子毎の放射範囲（指向角）が、上述の実施の形態の赤外発光素子１７よりも狭い。そこで、３６０度の全方位を網羅するように、素子数が８に設定されており、基板１５の両側にそれぞれ４個の赤外発光素子１７が配置されている。そして、素子間の角度が４５度に設定され、８個の赤外発光素子１７が周方向に等間隔に配置されている。
【００５７】
図９は第２の例を示している。この例では、素子毎の放射範囲が、上述の実施の形態の赤外発光素子１７よりも広い。そこで、素子数が４に設定されており、基板１５の両側にそれぞれ２個の赤外発光素子１７が配置されている。また、素子間の角度は９０度に設定されている。
【００５８】
図１０は第３の例を示している。この例では、素子数が２であり、基板１５の両面に一ずつ配置されており、素子間の角度は１８０度である。この例に示されるように、本発明の範囲内で、マイク１は、基板１５の両面に少なくとも一つずつ赤外発光素子１７を備えてよい。ただし、より多くの赤外発光素子１７を設けることが好適であり、より広くより均一な指向特性を得られる。
【００５９】
また、図１０の構成は、上述の実施の形態と基板１５の向きが異なっており、この点について以下に説明する。
【００６０】
使用者は、通常、親指がケース外面のスイッチ上に位置するようにマイク１を握る。このとき、使用者にとってはスイッチが前側にある。そこで、以下の説明では、スイッチ側を前面側といい、反対側を背面側といい、前面と背面を結ぶ方向を前後方向といい、前後方向と垂直な方向を左右方向という。
【００６１】
上記の実施の形態では、基板１５の両基板面が左右方向を向いている。これに対して、図１０の構成では、基板１５の向きが変更されており、両基板面が前後方向を向いている（基板面が左右方向に沿っている）。これにより、赤外発光素子１７は、前面側と背面側を向けて配置される。この構成は、下記の点で有利である。
【００６２】
図１０では、広い指向性を持つ赤外発光素子１７を使用しているが、それでも指向性には限界がある。そのため、図１０の例のように素子数が少ない場合、赤外線の到達距離は、赤外発光素子１７の光軸方向において、その他の方向よりも長くなる。一方、マイク１から赤外線を受信する受光センサは、使用者の正面方向にある場合が多い。したがって、上記のような基板及び素子配置を用いることで、マイク１からの赤外線をより確実に受光センサに到達させることができる。
【００６３】
また、上記の説明は受光センサがマイク１の正面方向にあることを想定しているが、受光センサがマイク１の横に位置する場合もある。例えば、センサー付き可搬型アンプなどは、使用者に可搬設置されるので、マイク１の横に位置することが多い。しかし、この場合は、受光センサが使用者の近くにあるので、図１０のように赤外発光素子１７が前後方向を向いていても、赤外線を好適に受光センサに届かせることができる。
【００６４】
また、前述の実施の形態では、本体ケース３は左右方向に分割された。これに対して、図１０の構成では、本体ケース３が前後方向に分割される。これにより、前後方向を向いた基板１５を好適に本体ケース３内に収容できる。また、前後方向を向いた赤外発光素子１７のための開口（窓）を本体ケース３に好適に設けられる。
【００６５】
以上に素子数及び素子配置が異なる３つの例を説明した。その他、本発明の範囲内で、素子数は奇数であってもよい。この場合、奇数の素子を全体として周方向に等間隔に配置することが好適である。
【００６６】
「仰角方向を向いた取付角度」
次に、赤外発光素子１７の上下方向の取付角度に関する変形例を説明する。本実施の形態に係る筒型のマイク１は、通常は垂直に近い姿勢で使用者に保持されることが多い。垂直姿勢とは、マイク１の軸方向が鉛直方向を向き、先端が上を向く姿勢である。
【００６７】
上述の実施の形態では、赤外発光素子１７の光軸が基板１５に垂直な面上にあるので、マイク１が垂直姿勢にあるときに赤外発光素子１７の光軸が水平方向を向く。そして、赤外線は水平方向を中心に仰角方向及び俯角方向に均等に放射される。しかし、光軸方向は、天井や壁面上部に配置される赤外受光部（受光センサ）の方向と大きくずれており、このことは受光感度を低下させる要因になり、受光特性にとっては不利である。この変形例は、上記の点を考慮して、受光特性を向上するものである。
【００６８】
図１１は、この変形例に係るマイク１の構成を示している。マイク１は使用時の垂直姿勢にある。赤外受光部（受光センサ）は、遮蔽物を避けるために天井及び壁面上部に取り付けられている。図１１では説明のために、天井及び壁面とマイク１とのサイズの比率が異なっている。
【００６９】
図１１に示されるように、使用時のマイク姿勢にて赤外発光素子１７が仰角方向を向くように、赤外発光素子１７の取付角度が設定されている。この取付角度を実現するためには、ガイド部材１９の支持部３１、３３、３５の凹部が上向きに傾けられ、これにより素子設置面（凹部底面）も上向きに傾けられる。ここで、上向きとは、マイク１の先端方向である。これにより、赤外発光素子１７の光軸が仰角方向を向くように、赤外発光素子１７が基板１５に傾斜して取り付けられる。
【００７０】
上記のように、赤外発光素子１７を仰角方向に向けることにより、赤外光軸と赤外受光部方向とのずれが小さくなる。そして、図示のように、赤外受光部が、赤外発光素子１７の指向角の範囲に適切に入る。したがって、赤外光軸の角度を最適化でき、受光特性を向上することができる。
【００７１】
「可視発光素子の追加」
図１２及び図１３を参照すると、この変形例では、可視発光素子５１が追加されている。ガイド部材１９は、可視発光素子５１をガイドする形状を有し、これにより可視発光素子５１がガイド部材１９の所定位置に配置され、そして、可視発光素子５１の端子が基板１５に半田づけされている。
【００７２】
図１３を参照すると、既に説明したように、使用者は、マイク１の前面側のスイッチに親指を置くようにしてマイク１を握ることが多い。可視発光素子５１は、スイッチと同じ側、すなわち、マイク１の前面に近い場所に、前面を向くように配置される。このような配置を実現するようにガイド部材１９のガイド形状が構成されている。
【００７３】
可視発光素子５１の点灯は、基板１５のマイクロコンピュータ等の回路によって制御される。可視発光素子５１の点灯は、マイク１の動作状態に応じて制御され、マイク１が正常に機能している場合に点灯される。具体的には、本実施の形態では、音声入力がされ、音声信号によりＦＭ変調された赤外光が赤外発行素子１７より発光されているときに、可視発光素子５１が点灯される。可視発光素子５１は継続的に点灯してもよく、点滅してもよい。
【００７４】
可視発光素子５１の可視光は、赤外線透過部品５を透過する。使用者は、可視発光素子５１の点灯を見て、マイク１の動作状態を把握でき、マイク１が正常に機能していることを確認できる。なお、赤外線透過部品５において、可視光通過部（可視発光素子５１に対応する部分）は厚みを薄くして、または、その部分に可視光透過部材を設けて、可視光の視認性を良くしてもよい。
【００７５】
このようにして、本実施の形態では、赤外発光素子１７を取り付けるためのガイド部材１９を活用して可視発光素子５１も基板１５に取り付けられる。可視発光素子５１を簡単な構造で設けることができ、そして、マイク１の動作状態を使用者に把握させることができる。
【００７６】
「ガイド部材の変形（発光素子保持部の追加）」
図１４及び図１５は、本実施の形態の更なる変形例を示している。この変形例では、赤外発光素子を位置決めするガイド部材が変形される。
【００７７】
図示のように、この変形例では、ガイド部材６１が基板１５に取り付けられる。ガイド部材６１は、ガイドベース部６３と、弾性ヒンジ６５と、発光素子保持部６７で構成されている。これらは一体の部材であり、ガイドベース部６３と発光素子保持部６７が弾性ヒンジ６５を介してつながっている。弾性ヒンジ６５は薄肉部分であり、弾性ヒンジ６５でガイド部材６１を折り曲げて、発光素子保持部６７をガイドベース部６３に被せることができる。
【００７８】
ガイドベース６３は、前述の実施の形態で説明されたガイド部材１９と同様の機能を果たすように構成されている。すなわち、ガイドベース６３は一対の脚部７１を有し、脚部７１の先端に係合爪７３が設けられている。また、ガイドベース６３は、脚部７１と離れた位置にピン７５を有する。係合爪７３が基板１５の角孔に係合することでガイド部材６１の抜けが防止され、かつ、ピン７５が基板１５の丸孔に挿入されることでガイド部材６１の回転が防止され、これによってガイド部材６１が基板１５に固定されている。
【００７９】
更に、ガイドベース部６３は、支持部８１、８３、８５を有し、それぞれ赤外発光素子１７を支持する。各々の支持部８１、８３、８５は凹部を有し、凹部に赤外発光素子１７が挿入され、素子本体３７が凹部の底の素子設置面に当接し、赤外発光素子１７が位置決めされる。また、中央の支持部８３が基板１５に平行であり、両側の支持部８１、８５が傾いている。これにより、３つの赤外発光素子１７が、互いに６０度異なる方向を向けて配置される。
【００８０】
発光素子保持部６７は、ガイドベース部６３に対応する屈曲形状を有している。これにより、ガイド部材６１が弾性ヒンジ６５で折り曲げられると、発光素子保持部６７がガイド部材６１を覆うように、ガイド部材６１の上に位置する。
【００８１】
発光素子保持部６７の先端には係合爪９１が設けられている。係合爪９１が基板１５の係合穴９３に係合し、これにより、発光素子保持部６７は、ガイドベース部６３に被さった状態で固定される。
【００８２】
発光素子保持部６７は、図示のように、３つの赤外発光素子１７に対応する位置に窓部９５を有する。赤外発光素子１７は窓部９５内に位置する。窓部９５は、赤外発光素子１７による赤外線放射を妨げない形状を有する。
【００８３】
発光素子保持部６７は、更に、赤外発光素子１７と当接する当接部９７を有する。当接部９７は、赤外発光素子１７の素子本体３７の下端にあるフランジ部９９と当接する。これにより、フランジ部９９がガイドベース部６３と発光素子保持部６７の間に挟まれ、赤外発光素子１７が保持される。
【００８４】
次に、ガイド部材６１を用いる場合のマイク１の製造方法について説明する。ここでは、ガイド部材６１を使って赤外発光素子１７を基板１５に取り付ける動作の好適な例を説明する。
【００８５】
まず、２つのガイド部材６１が、基板１５の両面にそれぞれ取り付けられる。ここでは、特に、ガイド部材６１のガイドベース部６３が基板１５に取り付けられる。すなわち、ガイドベース部６３が基板１５の所定位置に配置されて、基板１５に押しつけられる。これにより、ガイドベース部６３の係合爪７３が基板１５の角穴に係合し、また、ピン７５が基板１５の丸穴に挿入される。
【００８６】
次に、各々のガイドベース部６３の支持部８１、８３、８５に３つの赤外発光素子１７を配置する。ここでは、赤外発光素子１７を各支持部８１、８３、８５の凹部に挿入し、素子本体３７の下面を支持部８１、８３、８５に当接させる。赤外発光素子１７の端子３９は基板１５を突き抜けて、反対の面から突き出す。
【００８７】
次に、ガイド部材６１が弾性ヒンジ６５にて折り曲げられる。発光素子保持部６７が弾性ヒンジ６５を中心に回動し、ガイドベース部６３に被さる。発光素子保持部６７の先端の係合爪９１が基板１５の係合穴９３に係合する。これにより、発光素子保持部６７の当接部９７が赤外発光素子１７の素子本体３７のフランジ部９９に当接し、発光素子保持部６７により赤外発光素子１７が保持される。
【００８８】
次に、３つの赤外発光素子１７の端子３９が、基板１５に半田付けされる。図１５に示されるように、端子３９は、基板１５から突き出している。この部分が半田付けされ、それから、端子３９の余分な部分が切断される。本実施の形態では、基板１５の両面に赤外発光素子１７が取り付けられ、半田付け作業のために基板１５が裏返されることもある。この場合にも、赤外発光素子１７が発光素子保持部６７により保持されるので、赤外発光素子１７の落下が防止され、作業が容易になる。
【００８９】
赤外発光素子１７の落下を防止するために、特別な治具を用いることも考えられる。しかし、治具の取付及び取り外しという面倒な作業が生じる。本実施の形態によれば、ガイド部材６１に一体的に発光素子保持部６７が設けられる。したがって、部品点数を増やすことなく、赤外発光素子１７の落下を防止でき、治具も不要にできる。
【００９０】
以上に本発明の実施の形態に係るマイク１（ワイヤレスマイクロフォン）について説明した。本実施の形態によれば、マイク１内の基板１５の両面に赤外発光素子１７を備えることによりマイク周囲へ赤外線を放射できるので、基板１５と別に赤外発光素子専用基板を設ける必要がなくなり、基板間のケーブルやコネクターも不要になる。したがって、ワイヤレスマイクロフォンの構造を簡単にできると共に部品点数を削減でき、生産性も向上できる。
【００９１】
また、本実施の形態では、基板１５の両面の各々に複数の赤外発光素子が設けられており、それら基板両面の赤外発光素子が放射状に配置されており、したがって、マイク周囲の全方向に適切に赤外線を放射でき、良好な指向特性が得られる。
【００９２】
また、本実施の形態では、赤外発光素子１７の指向性に応じて放射範囲が全方位を網羅するように赤外発光素子１７の数が定められており、それら複数の赤外発光素子１７が周方向に間隔をあけて配置されており、したがって、マイク周囲の全方向に適切に赤外線を放射でき、良好な指向特性が得られる。
【００９３】
また、本実施の形態では、反射壁４１が隣接する赤外発光素子１７の間に延びるように設けられ、両側の赤外発光素子１７からの赤外線を反射する。反射壁４１による赤外線の反射を利用して、赤外線の放射強度のばらつきを低減でき、良好な指向特性が得られる。
【００９４】
また、本実施の形態では、基板１５の一方の面に配置された赤外発光素子１７と、他方の面に配置された赤外発光素子１７とが、基板面に沿った方向にオフセットされている。したがって、マイク周囲に赤外線を放射できるように基板１５の両面に赤外発光素子１７を好適に取り付けることができる。
【００９５】
また、本実施の形態では、使用時のマイク姿勢にて赤外発光素子１７が仰角方向を向くように、赤外発光素子１７が基板１５に対して傾斜して取り付けられている。したがって、マイク１からの赤外線の放射方向を、天井部や壁面上部に取り付けられた赤外受光部に向けることができ、赤外受光部の受光特性を向上できる。
【００９６】
また、本実施の形態では、基板１５の両面の各々に、赤外発光素子１７の位置と方向を規制するガイド部材１９が取り付けられており、赤外発光素子１７が、ガイド部材１９に配置された状態で基板１５に取り付けられる。これにより、赤外発光素子１７を適切に位置決めでき、赤外線の放射方向のばらつきを小さく抑えることができ、赤外受光特性をより安定させることができる。
【００９７】
また、本実施の形態では、ガイド部材１９に可視発光素子５１が配置されており、可視発光素子５１が、赤外発光素子１７の周囲の赤外線透過部品５を通して可視光を出射する。これにより、可視発光素子５１を発光させて、マイク１の動作状態を使用者に視覚的に把握させることができる。このような可視発光素子５１を、赤外発光素子１７を設けるための構造を活用して好適に取り付けられる。
【００９８】
また、本実施の形態では、図１４及び図１５に示したように、ガイド部材６１が、基板１５に取り付けられるガイドベース部６３と、ガイドベース部６３に弾性ヒンジ６５を介してつながった発光素子保持部６７とを有し、発光素子保持部６７が、弾性ヒンジ６５によって回動して赤外発光素子１７を保持する構造を有する。この構成により、発光素子保持部材６７を使って赤外発光素子１７を保持するので、赤外発光素子１７を基板に取り付ける作業が容易になる。上記の例では、赤外発光素子１７を基板１５の両面に半田づけするために基板１５が反転される。本実施の形態では、基板反転時の素子落下を防止でき、取付作業が容易になる。
【００９９】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１００】
以上のように、本発明にかかるワイヤレスマイクロフォンは、構造が簡単で部品点数を削減でき、生産性を向上できるという効果を有し、会議場などの施設で用いられるワイヤレスマイクロフォン等として有用である。
【符号の説明】
【０１０１】
１  マイク
３  本体ケース
５  赤外線透過部品
７  マイクネット部品
１５  基板
１７  赤外発光素子
１９  ガイド部材
３１、３３、３５  支持部
４１  反射壁
５１  可視発光素子
【図１】
2010245963.tif 000003
【図２】
2010245963.tif 000004
【図３】
2010245963.tif 000005
【図４】
2010245963.tif 000006
【図５】
2010245963.tif 000007
【図６】
2010245963.tif 000008
【図７】
2010245963.tif 000009
【図８】
2010245963.tif 000010
【図９】
2010245963.tif 000011
【図１０】
2010245963.tif 000012
【図１１】
2010245963.tif 000013
【図１２】
2010245963.tif 000014
【図１３】
2010245963.tif 000015
【図１４】
2010245963.tif 000016
【図１５】
2010245963.tif 000017
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
音声信号を赤外線により送信するワイヤレスマイクロフォンであって、
該ワイヤレスマイクロフォン内の基板の両面の各々に複数の赤外発光素子が設けられており、前記基板両面の赤外発光素子が放射状に配置されており、
さらに前記赤外発光素子の指向性に応じて放射範囲が全方位を網羅するように前記赤外発光素子の数が定められており、前記複数の赤外発光素子が周方向に間隔をあけて配置されており、
隣接する前記赤外発光素子の間に、両側の前記赤外発光素子からの赤外線を反射する反射壁を有することを特徴とするワイヤレスマイクロフォン。
【請求項２】
前記基板の一方の面に配置された前記赤外発光素子と、他方の面に配置された前記赤外発光素子とが、基板面に沿った方向にオフセットされていることを特徴とする請求項１記載のワイヤレスマイクロフォン。
【請求項３】
使用時のマイク姿勢にて前記赤外発光素子が仰角方向を向くように、前記赤外発光素子が前記基板に対して傾斜して取り付けられていることを特徴とする請求項１または２のいずれかに記載のワイヤレスマイクロフォン。
【請求項４】
音声信号を赤外線により送信するワイヤレスマイクロフォンであって、
該ワイヤレスマイクロフォン内の基板の両面の各々に複数の赤外発光素子が設けられており、前記基板両面の赤外発光素子が放射状に配置されており、
前記赤外発光素子の指向性に応じて放射範囲が全方位を網羅するように前記赤外発光素子の数が定められており、前記複数の赤外発光素子が周方向に間隔をあけて配置されており、
さらに前記基板の両面の各々に、前記赤外発光素子の位置と方向を規制するガイド部材が取り付けられており、前記赤外発光素子が、前記ガイド部材に配置された状態で前記基板に取り付けられており、
前記ガイド部材は、前記基板に取り付けられるガイドベース部と、前記ガイドベース部に弾性ヒンジを介してつながった発光素子保持部とを有し、前記発光素子保持部が、前記弾性ヒンジによって回動して前記赤外発光素子を保持する構造を有することを特徴とするワイヤレスマイクロフォン。
【請求項５】
前記ガイド部材に可視発光素子が配置されており、前記可視発光素子が、前記赤外発光素子の周囲の赤外線透過部材を通して可視光を出射することを特徴とする請求項４に記載のワイヤレスマイクロフォン。
【請求項６】
音声信号を赤外線により送信するワイヤレスマイクロフォンであって、
該ワイヤレスマイクロフォン内に配置された基板と、
該基板の両面に配置された複数の赤外発光素子であって、その指向性に応じて放射範囲が全方位を網羅するように数が定められるとともに、周方向に間隔をあけて配置された複数の赤外発光素子と、
隣接する前記赤外発光素子の間に、両側の前記赤外発光素子からの赤外線を反射する反射壁とを有することを特徴とするワイヤレスマイクロフォン。
【請求項７】
音声信号を赤外線により送信するワイヤレスマイクロフォンであって、
該ワイヤレスマイクロフォン内に配置された基板と、
該基板の両面に配置された複数の赤外発光素子であって、その指向性に応じて放射範囲が全方位を網羅するように数が定められるとともに、周方向に間隔をあけて配置された複数の赤外発光素子と、  
前記基板の両面の各々に、前記赤外発光素子の位置と方向を規制するガイド部材とを備え、
前記赤外発光素子が、前記ガイド部材に配置された状態で前記基板に取り付けられており、
前記ガイド部材は、前記基板に取り付けられるガイドベース部と、前記ガイドベース部に弾性ヒンジを介してつながった発光素子保持部とを有し、
前記発光素子保持部が、前記弾性ヒンジによって回動して前記赤外発光素子を保持する構造を有することを特徴とするワイヤレスマイクロフォン。